(57)【要約】【課題】ロール状フィルムからフィルムを引き出す操作に注意力を要さない容器を提供する。【解決手段】ロール状に巻かれているフィルムを収容しておく箱４０に、ロールから引き出されたフィルムが通過するスリット２４が形成されている。フィルムがスリット２４を通過するためにフィルムの引き出し位置が安定する。フィルムを容器から引き出す際に、フィルムが重なりあったり、ロール状に巻かれているフィルムが箱から飛び出すことがなく、フィルムを引き出す操作に注意力を要さない。【選択図】図１
2011246142.tif 000002
【特許請求の範囲】
【請求項１】
ロール状に巻かれているフィルムを収容しておく箱を備えており、
その箱に、ロールから引き出されたフィルムが通過するスリットが形成されていることを特徴とするロール状フィルムの収容容器。
【発明の詳細な説明】
【技術分野】
【０００１】
本発明は、ロール状に巻かれているフィルムを収容しておく容器に関する。
【背景技術】
【０００２】
ラップフィルムやアルミホイールやキッチンペーパなどは、ロール状に巻かれた状態で容器に収容して提供される。ロール状に巻かれているフィルム（以下では、ロール状フィルムという）を収容しておく容器は、図１６に例示するように、箱本体１２と蓋１６で形成されている箱４０で構成されている。箱本体１２は、背壁２と底壁４と前壁６と左側壁８と右側壁１０を備えている。蓋１６は、背壁２の上縁２ａから伸びており、箱本体１２の上側の開口を塞ぐ位置と塞がない位置の間で開閉可能となっている。蓋１６の前壁の下縁に沿って切断歯１８が固定されている。
使用する際には、ロール状フィルムＲの一端Ｒ１を箱本体１２から引き出しておく。その一端Ｒ１をさらに引き出して使用する。
引き出したフィルムを切断する際には、蓋１６で箱本体１２の上側の開口を塞ぐ位置とし、引き出したフィルムを切断歯１８に当てて切断する。
フィルムを箱本体１２から引き出す際には、蓋１６で箱本体１２の上側の開口を塞がない位置とする。蓋１６は箱本体１２から連続している紙で製造されていることが多く、蓋１６に圧力を加えない限り、紙の復元力によって蓋１６は箱本体１２の上側の開口を塞がない姿勢をとる。
【先行技術文献】
【特許文献】
【０００３】
【特許文献１】特開２００９−１３２４０６号公報
【発明の概要】
【発明が解決しようとする課題】
【０００４】
ラップフィルムやアルミホイールは、極めて薄くて腰が弱いことから扱いにくい。またラップフィルムやアルミホイールは、幅が広く、片手では左端部と右端部の両方を同時に把持することができない。多くの場合、幅方向の中央部を片手で把持してロールから引き出す。この場合、ラップフィルムやアルミホイールの左端部と右端部の位置が不安定となり、フィルムに皺がよりやすく、フィルムが重なり合いやすい。フィルムが重なり合ってしまうと、平坦なシート状の形態に戻すことがひどく厄介である。従来の容器は、注意を払って操作すれば、きれいに引き出してきれいに切断することができるが、十分な注意力を払わないで操作すると、フィルムに皺がよってフィルム同士が重なり合ってしまう事態が生じやすい。
【０００５】
本発明は、あわてて操作しても、あるいは十分な注意力を払わないで操作しても、きれいに引き出してきれいに切断することができ、フィルムが重なり合ってしまう事態が生じにくい容器を提供する。
本明細書でいうフィルムは、ロール状に巻かれた状態で提供されるものであり、薄くて腰が弱いために皺がよりやすく、片手では幅方向の一部しか把持できないほどに幅広なフィルムのことをいう。
【課題を解決するための手段】
【０００６】
本発明は、ロール状に巻かれているフィルムを収容しておく容器を提供する。この容器は、ロール状に巻かれているフィルムを収容しておく箱を備えており、その箱に、ロールから引き出されたフィルムが通過するスリットが形成されている。
【０００７】
ここでいうスリットは、フィルムが通過することでフィルムの通過位置を規制するものをいう。典型的には、シート状部材に形成されている切れ目をいう。しかしながら、切れ目に限定されるものでない。
例えば２枚のシート状部材を重ね合わせたときに形成される間隔も、フィルムが通過することでフィルムの通過位置を規制することができ、スリットに相当する。２本の紐状部材の間隔も、フィルムが通過することでフィルムの通過位置を規制することができ、スリットに相当する。
スリットとなる間隔の幅は、フィルムの厚み以上あればよく、スリット内でフィルムが厚み方向に変位するだけの余裕があってもかまわない。スリットとなる間隔の長さは、フィルムの幅に等しいか、それよりも若干長いことが好ましい。しかしながら、フィルムの幅よりも若干短くても、フィルムに皺が寄らないようにしながらフィルムが通過できることがあり、それもスリットに相当する。
間隔の形状は、かならずしも直線的に伸びている必要はない。湾曲していてもよいし、屈曲していてもよい。例えば、上に凸に湾曲ないし屈曲していてもよいし、下に凸に湾曲ないし屈曲していてもよいし、Ｗ字状に湾曲ないし屈曲していてもよいし、逆Ｗ字状に湾曲ないし屈曲していてもよい。波打っていてもよい。また、箱を構成する壁と壁の境界線に対して平行に伸びていてもよいし、傾斜していてもよい。
スリットを画定する壁側部材が、フィルムの左端から右端まで連続して存在している必要はない。フィルムの幅方向の中央部では、スリットを画定する壁側部材が存在しておらず、フィルムの幅方向の中央部のみを観察するとスリットがない場合もある。少なくともフィルムの左端部と右端部の通過位置を規制する部分的スリットが形成されていれば、実質的にはフィルムの通過位置を規制することができる。それもスリットに相当する。
フィルムの少なくも一部が通過することによってフィルムの通過位置を安定させるものであれば、本発明のスリットに相当する。
【０００８】
スリットは、ロール状フィルムを収容する箱本体に設けられていてもよいし、蓋に設けられていてもよい。箱本体にスリットを形成されている場合は、蓋があってもよいし、なくてもよい。スリットは、箱本体ないし蓋を形成する部材で形成されていてもよいし、箱本体ないし蓋を形成する部材とは異なる部材で形成されていてもよい。
【発明の効果】
【０００９】
本発明の収容容器は、フィルムの一端を箱から引き出すためのスリットを備えており、そのスリットがフィルムの引き出し位置をガイドする。フィルムの一端を、上方に引き出そうが、下方に引き出そうが、手前側に引き出そうが、体から離れる向きに引き出そうが、フィルムの引き出し位置はスリットに案内されて安定する。フィルムを少々乱暴ないし軽率に引き出しても、フィルムの引き出し位置がスリットによって安定しているために、引き出されたラップフィルに皴がよりにくく、常に皴のない状態で引き出すことができる。フィルムの使い勝手が向上する。フィルムに生じた皺を伸ばしたり、フィルム同士が重なり合ってしまった部分を引き剥がすといった面倒が要らなくなる。
【図面の簡単な説明】
【００１０】
【図１】第１実施例の収容容器の斜視図。
【図２】第２実施例の収容容器の斜視図。
【図３】第３実施例の収容容器の斜視図。
【図４】第４実施例の収容容器の斜視図。
【図５】第５実施例の収容容器の斜視図。
【図６】第６実施例の収容容器の斜視図。
【図７】第７実施例の収容容器の斜視図。
【図８】第８実施例の収容容器の斜視図。
【図９】第９実施例の収容容器の斜視図。
【図１０】第１０実施例の収容容器の斜視図。
【図１１】第１１実施例の収容容器の斜視図。
【図１２】第１２実施例の収容容器の斜視図。
【図１３】第１３実施例の収容容器の斜視図。
【図１４】第１４実施例の収容容器の斜視図。
【図１５】第１５実施例の収容容器の斜視図。
【図１６】従来の収容容器の斜視図。
【発明を実施するための形態】
【００１１】
以下に説明する実施例の主要な特徴を列記する。
（第１特長）  蓋と背壁と底壁と前壁と上壁と左側壁と右側壁が、一枚の紙を折り曲げて形成されており、前壁と上壁が連続しており、前壁と上壁の境界近傍に境界に沿って伸びるスリットが形成されており、上壁が左側壁に隣接する位置から右側壁に隣接する位置まで連続している。上壁と左側壁は直接的には連続しておらず、上壁と右側壁も直接的には連続しておらず、上壁と背壁も直接的には連続していない。
（第２特長）  上壁に、上壁と前壁の境界から所定距離だけ隔てた位置を境界に沿って伸びる切れ目と、その切れの両端から境界に向けて伸びる切れ目が形成されており、その切れ目の内側の上壁を境界に沿って前壁側に折り曲げる。
（第３特長）  フィルムは芯の周りに巻きつけられており、芯の軸線方向の距離がフィルムの幅よりも長く、芯の両端部はロール状フィルムから露出している。スリットの両端部の外側を、ロール状フィルムから露出している芯の軸線方向の距離に等しい幅の紙片が通過しており、その紙片が前壁と上壁を連続させている。
【実施例】
【００１２】
第１実施例の容器は、図１に例示するように、箱本体１２と蓋１６を備えている。箱本体１２は、背壁２と底壁４と前壁６と上壁２２と左側壁８と右側壁１０を備えている。蓋１６は、背壁２の上縁２ａから伸びており、箱本体１２の上側の開口を塞ぐ位置と塞がない位置との間で開閉可能となっている。蓋１６の前壁の下縁に沿って切断歯１８が固定されている。箱本体１２と蓋１６は、一枚の連続した紙を折り曲げて形成されている。紙の復元力によって、蓋１６に圧力を加えない限り、蓋１６は箱本体１２の上側の開口を塞がない姿勢をとる。第１実施例の箱４０は、ロール状に巻かれているラップフィルムＲを収容するものである。
【００１３】
前壁６と上壁２２は一枚の連続した紙を折り曲げて形成されている。正確に言うと、ロールから引き出されたラップフィルの左右両端の外側に位置する部分２２ａ，２２ｂにおいてのみ前壁６と上壁２２が連続しており、残存部分２２ａ，２２ｂの中間にはスリット２４が形成されている。スリット２４は、前壁６と上壁２２の境界２６に沿って上壁２２に形成された切込みによって形成されている。
ロール状に巻かれているラップフィルムＲは芯の周りに巻きつけられており、芯の軸線方向の距離がラップフィルムＲの幅よりも長く、芯の両端部はロール状ラップフィルムから露出している。左側壁８と右側壁１０の距離は、芯の軸線方向の距離に等しい。残存部分２２ａ，２２ｂの幅は、ロール状ラップフィルムから露出している芯の軸線方向の距離に等しい。スリット２４の幅は、ラップフィルムＲの幅に等しい。
【００１４】
使用する際には、ロール状ラップフィルムＲの一端Ｒ１を箱本体１２から引き出しておく。その際に、引き出されたフィルムがスリット２４を通過して箱本体１２から引き出されている姿勢で用いる。フィルムの引きだし位置は、スリット２４によって拘束され、図示の上下方向にも左右方向にもずれることがない。
フィルムがスリット２４を通過していると、フィルムＲの一端Ｒ１を上向に引き出そうが、下向きに引き出そうが、左側に向けて引き出そうが、右側に向けて引き出そうが、フィルムＲの引き出し位置はスリット２４によって常時に安定する。少々乱暴に引きだしても、フィルムの引き出し位置がスリット２４によって安定しているために、引き出されたラップフィルに皴がよりにくく、常に皴のない状態で引き出すことができ、常に皴のない状態で切断歯１８によって切断することができる。
【００１５】
第１実施例では、上壁２２を部分的に除去してスリット２４を形成しているが、スリット２４を形成する上壁２２の部分を除去せず、前壁６側に向けて折り曲げてもよい。そのためには、図２に示すように、上壁２２と前壁６の境界から所定距離だけ隔てた位置を境界に沿って伸びる切れ目２２ｄを上壁２２に入れる。また、その切れ目２２ｄの両端から境界に向けて伸びる切れ目２２ｅ、２２ｆを入れる。そして、その切れ目の内側に位置している上壁２２を境界に沿って前壁６の側に折り曲げる。
その結果、図２に示す箱が得られ、スリット２４が形成される。また、前壁６の側に折り曲げられている部分２２ｃは、紙の復元力によって、前壁６から離れようとする。
蓋１６を被せて切断刃１８でラップフィルムを切断すると、容器側に残されるラップフィルムの先端は前壁６に密着する。その結果、容器側に残されたラップフィルムの先端を摘むことが面倒なことがある。上壁２２の一部２２ｃを前壁６の側に折り曲げおくと、容器側に残されているラップフィルムの先端が前壁６から浮きあがり、ラップフィルムの先端を摘みやすくなる。スリット２４と、ラップフィルムの先端を浮かせる部分２２ｃが、一挙に形成される。なお、図２では、蓋１６とロール状フィルムＲの図示が省略されている。また、壁の表面が観察できる範囲を着色することによって、スリット２４が形成されている様子を理解しやすくしている。スリットを形成する切り目２２ｄは直線状に伸びていなくてもよい。スリットの形状は、ラップフィルムの左右両端部の引き出し位置を安定させるまであれば足り、ラップフィルムの先端を前壁から浮きあがらせるのに有利な形状を採用することができる。
【００１６】
スリット２４の位置は、前壁６と上壁２２の境界２６に接している必要はない。図３に示すように、境界２６から離れた位置の上壁２２側にスリット２４が形成されていてもよいし、図４に示すように、境界２６の上壁２２側と前壁６側に跨ってスリット２４が形成されていてもよいし、図５に示すように、境界２６から離れた位置の前壁６側にスリット２４が形成されていてもよい。なお図２以降の図面では、図示の明瞭化のために蓋１６とロール状フィルムＲの表示を省略している。
【００１７】
上壁２２を、箱本体１２に後付けして形成してもよい。図６に示すように、上壁となる紙片２２ｇを両側壁８，１０に接着してもよいし、図７に示すように、上壁となる紙片２２ｈを両側壁８，１０に接着してもよいし、図８に示すように、上壁となる紙片２２ｉを前壁６に接着してもよい。あるいは、図９と図１０に例示するように、糸ないし紐３０を前壁６の上縁６ａに沿って張ることによってスリット２４を形成してもよい。図９と図１０では封筒を閉じるための紐を巻きつけて固定する治具３１を利用しているが、糸ないし紐３０を固定する治具はこれに限られない。糸ないし紐３０は、ロール状に巻かれたフィルムを上面から押さえてロール状に巻かれたフィルムが箱本体１２から飛び出してくるのを防止するものであり、上壁として機能する。
【００１８】
上壁２２は、図１１に例示するように、左上壁２２ｊと右上壁２２ｋに分割されていてもよい。この場合、左上壁２２ｊは左側壁８に連続し、右上壁２２ｋは右側壁１０に連続するようにしてもよい。図示の２２ｌに例示するように、前壁６に接着する部分を設けることにより（２２ｍは前壁６に接着した状態を示している）、左上壁２２ｊと右上壁２２ｋが上方に開かないようにすることがきる。これによっても、スリット２４の左端部２４ａと右端部２４ｂが形成される。左端部２４ａと右端部２４ｂの間では上壁２２がなく、スリット２４が閉じられていないが、巻き戻されたフィルムＲ１の左端部がスリットの左端部２４ａを通過し、巻き戻されたフィルムＲ１の右端部がスリットの右端部２４ｂを通過する限り、ラップフィルの収容容器からの引き出し位置を安定させることができる。収容容器からのラップフィルの引き出し位置を安定させるというスリットの機能に着目すると、スリット２４が左端部２４ａと右端部２４ｂに分割されていても、左端部２４ａから右端部２４ｂまで連続している仮想的スリットをフィルムが通過している場合と同様の現象が得られる。左端部２４ａと右端部２４ｂによって、実質的には一つのスリットが形成されているということができる。
【００１９】
図１２は、蓋を持たない実施例を示している。ロール状フィルムを収容する箱本体１２の断面形状は四角に限定されない。多角形でもよいし、円弧面を備えていてもよい。
図示３２は切れ目であり、３４はそれを起こした部分である。図示の３６は、切り起こし３４を利用して張った輪ゴムである。輪ゴム３６の間隔がスリット２４を提供する。輪ゴム３６は、ロール状フィルムの上方に位置している上壁でもあり、ロール状フィルムが箱本体１２から飛び出すのを防止する。図６〜１２に例示した実施例では、上壁にスリット形成部材を付加しているが、前壁にスリット形成部材を付加してもよい。あるいは前壁の一部を削除し、削除した部分に別部材を付加してスリットを形成してもよい。この場合は上壁があってもなくてもよい。
【００２０】
図１３は、帯３８を前壁６の前側に配置した実施例を示している。帯３８と前壁６の間の間隔がスリット２４を提供する。
【００２１】
図１４は、上壁２２にスリット２４と切断刃１８を成形した例を示している。上壁２２に折り目２２ｎを入れることで、上壁２２に設けた切断刃１８で、スリット２４から引き出されたフィルムを切断することができる。
【００２２】
図１５は、蓋１６に２本のスリット２４ａ，２４ｂを設けた例を示している。図１５の（ｂ）に示すように２本のスリット２４ａ，２４ｂをフィルムが通過するように用いる。２本のスリット２４ａ，２４ｂを用いると、フィルムの引き出し位置が一層に安定する。
【００２３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図壁に説明した技術要素は、単独であるいは各種の組合せによって技術的有用性を発揮するものであり、出願時の請求項に記載の組合せに限定されるものではない。また、本明細書または図壁に例示した技術は複数の目的を同時に達成し得るものであり、そのうちの一つの目的を達成すること自体で技術的有用性を持つものである。
【符号の説明】
【００２４】
Ｒ：フィルム
Ｒ１：ロール状に巻かれたフィルムから引き出された端部
２：背壁
２ａ：上縁
４：底壁
６：前壁
６ａ：上縁
８：左側壁
１０：右側壁
１２：箱本体
１６：蓋
１８：切断歯
２２：上壁
２４：スリット
２４ａ：左端部
２４ｂ：右端部
２６：境界
３０：糸
【図１】
2011246142.tif 000003
【図２】
2011246142.tif 000004
【図３】
2011246142.tif 000005
【図４】
2011246142.tif 000006
【図５】
2011246142.tif 000007
【図６】
2011246142.tif 000008
【図７】
2011246142.tif 000009
【図８】
2011246142.tif 000010
【図９】
2011246142.tif 000011
【図１０】
2011246142.tif 000012
【図１１】
2011246142.tif 000013
【図１２】
2011246142.tif 000014
【図１３】
2011246142.tif 000015
【図１４】
2011246142.tif 000016
【図１５】
2011246142.tif 000017
【図１６】
2011246142.tif 000018